(57)【要約】【課題】光装飾性に優れた魅力ある光装飾装置を提供することにある。【解決手段】透光性カバー１と支持スタンド２で密閉容器３を構成し、密閉容器３内を蛍光部材５を分散した液体４で満たした。そして、液体４を密閉容器３内で所望の速度で循環させ、それに伴って循環する蛍光部材５を、密閉容器３内に配置されたＬＥＤ光源１１からの所望の明るさの光で励起して発光させ、それにより光の流れが演出される光装飾性に優れた魅力ある光装飾装置を実現した。【選択図】図１
2010058332.tif 000002
【特許請求の範囲】
【請求項１】
少なくとも一部が透光性を有する気密容器と、
前記気密容器内に収容された流体と、
前記流体に分散された蛍光部材及び／又は蓄光部材と、
前記流体を前記気密容器内で循環させる流体循環手段と、
前記流体の循環経路を形成する流体循環経路形成手段と、
前記気密容器内の所定の位置に配置されて、前記気密容器内を循環する流体に分散された蛍光部材及び／又は蓄光部材に出射光を照射して発光させる光源と、
前記光源、前記流体循環手段、及び前記流体循環経路形成手段のいずれか１つ、又はこれら任意の２つの組み合わせ、又はこれら全てを制御する制御手段を、
備えたことを特徴とする光装飾装置。
【請求項２】
前記蛍光部材及び蓄光部材は、各面を互いに内側に凹んだ湾曲面とする四面体形状、両面を互いに外側に膨らんだ湾曲面とする盤形状、リボンを８の字状に捩じって両端部を互いに繋いだ８字形状、及び短冊状の板材の一方から切り込みを入れて互いに反対方向に折曲した略Ｔ字形状のうちいずれか１つの形状、又はこれら任意の２つの形状の組み合わせ、又はこれら全ての形状からなることを特徴とする請求項１に記載の光装飾装置。
【請求項３】
前記流体循環経路形成手段は、透明部材又は不透明部材からなり、両端を開口とする略筒状を呈していることを特徴とする請求項１又は２のいずれか１項に記載の光装飾装置。
【請求項４】
前記流体は、液体又は気体のいずれかであることを特徴とする請求項１〜３のいずれか１項に記載の光装飾装置。
【請求項５】
前記流体循環手段は、回転ファン又は加熱ヒータのいずれかであることを特徴とする請求項１〜４のいずれか１項に記載の光装飾装置。
【請求項６】
前記光源は、ＬＥＤであることを特徴とする請求項１〜５のいずれか１項に記載の光装飾装置。
【発明の詳細な説明】
【技術分野】
【０００１】
本発明は、光装飾装置に関するものであり、詳しくは、流体に分散された蛍光部材及び／蓄光部材に励起光を照射することにより得られる発光光によって装飾的な演出効果を発揮する光装飾装置に関する。
【背景技術】
【０００２】
容器内に蛍光部材及び／又は蓄光部材を複数個包容してなる装飾装置には、例えば、従来以下のようなものが提案されている。それは、容器となる半透明拡散カバーの内部に夫々赤色カラーフィルタ、緑色カラーフィルタ及び青色カラーフィルタを被覆した電球が複数個ずつ固定配置され、各電球から出射して赤色カラーフィルタ、緑色カラーフィルタ及び青色カラーフィルタを透過した赤色光、緑色光及び青色光が半透明拡散カバーで拡散されて混合光が外部に放出される調色照明装置である（例えば、特許文献１参照。）。
【０００３】
また、容器となる瓶の内部に、複数の蓄光性蛍光体の粒状物を散在してなる透明な保持体を封入した装飾体もある（例えば、特許文献２参照。）。
【０００４】
また、流動性を有する媒体に蛍光体を溶解してなる有機蛍光体セルにＬＥＤ素子から出射した光を照射し、ＬＥＤ素子からの光を受けた、循環する媒体に溶解された蛍光体が放出する光を照射光として用いる照明装置もある（例えば、特許文献３参照。）。
【０００５】
また、透明中空容器内に透明媒体と光輝性熱変色性装飾片を満たし、透明媒体を泳動させながら温度変化を与えることにより、泳動しながら色調変化する装飾片による装飾性を表現しようとしたものもある（例えば、特許文献４参照。）。
【特許文献１】特開２０００−１２３９８１号公報
【特許文献２】実用新案登録第３０３５１８２号公報
【特許文献３】特開２００８−３４２０１号公報
【特許文献４】特開平１１−１９８５９８号公報
【発明の開示】
【発明が解決しようとする課題】
【０００６】
ところで、特許文献１に開示された調色照明装置は、赤色光、緑色光及び青色光の混合光により、時間的（連続的あるいは断続的）に変化する色光を表現することはできるが、発光部となる電球及びカラーフィルタが容器内に固定されているために光の動的な変化を表現することができない。
【０００７】
また、特許文献２に開示された装飾体は、保持体に散在する蓄光性蛍光体が容器内での動きを封じられていると共に、発光源が備えられていないために永続的な発光を維持することができない。
【０００８】
また、特許文献３に開示された照明装置は、蛍光体の発光効率を高めることにより明るい照明装置を実現することが目的であり、装飾効果を狙った構成とはなっていない。
【０００９】
このように、上記従来例において、蛍光部材及び／又は蓄光部材は共通する構成要素となっているが、装飾性についてはいずれの従来例も乏しいものとなっている。
【００１０】
また、特許文献４に開示された装飾体は、透明媒体を急激に温度変化させることは難しく、光輝性熱変色性装飾片の色調変化は緩慢なものとならざるを得ない。そのため、装飾体としては魅力に乏しいものとなっている。
【００１１】
そこで、本発明は上記問題に鑑みて創案なされたもので、その目的とするところは、光装飾性に優れた魅力ある光装飾装置を提供することにある。
【課題を解決するための手段】
【００１２】
上記課題を解決するために、本発明の請求項１に記載された発明は、
少なくとも一部が透光性を有する気密容器と、前記気密容器内に収容された流体と、前記流体に分散された蛍光部材及び／又は蓄光部材と、前記流体を前記気密容器内で循環させる流体循環手段と、前記流体の循環経路を形成する流体循環経路形成手段と、前記気密容器内の所定の位置に配置されて、前記気密容器内を循環する流体に分散された蛍光部材及び／又は蓄光部材に出射光を照射して発光させる光源と、前記光源、前記流体循環手段、及び前記流体循環経路形成手段のいずれか１つ、又はこれら任意の２つの組み合わせ、又はこれら全てを制御する制御手段を、備えたことを特徴とするものである。
【００１３】
また、本発明の請求項２に記載された発明は、請求項１において、
前記蛍光部材及び蓄光部材は、各面を互いに内側に凹んだ湾曲面とする四面体形状、両面を互いに外側に膨らんだ湾曲面とする盤形状、リボンを８の字状に捩じって両端部を互いに繋いだ８字形状、及び短冊状の板材の一方から切り込みを入れて互いに反対方向に折曲した略Ｔ字形状のうちいずれか１つの形状、又はこれら任意の２つの形状の組み合わせ、又はこれら全ての形状からなることを特徴とするものである。
【００１４】
また、本発明の請求項３に記載された発明は、請求項１又は２のいずれか１項において、
前記流体循環経路形成手段は、透明部材又は不透明部材からなり、両端を開口とする略筒状を呈していることを特徴とするものである。
【００１５】
また、本発明の請求項４に記載された発明は、請求項１〜３のいずれか１項において、
前記流体は、液体又は気体のいずれかであることを特徴とするものである。
【００１６】
また、本発明の請求項５に記載された発明は、請求項１〜４のいずれか１項において、
前記流体循環手段は、回転ファン又は加熱ヒータのいずれかであることを特徴とするものである。
【００１７】
また、本発明の請求項６に記載された発明は、請求項１〜５のいずれか１項において、
前記光源は、ＬＥＤであることを特徴とするものである。
【発明の効果】
【００１８】
本発明の光装飾装置は、蛍光部材及び／又は蓄光部材が分散された流体を密閉容器内で循環させ、それに伴って循環する蛍光部材及び／又は蓄光部材に光を照射して光の流れを演出した。それと同時に、蛍光部材及び／又は蓄光部材の循環方向、循環速度、照射光の明るさ・点滅のタイミング等を制御するようにした。その結果、従来にない光装飾性に優れた魅力ある光装飾装置を実現することができた。
【発明を実施するための最良の形態】
【００１９】
以下、この発明の好適な実施形態を図１から図８を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２０】
本発明の光装飾装置の基本構成は、内部が透視できる透光性カバーと支持スタンドで構成された密閉容器の内部を蛍光部材及び／又は蓄光部材を分散した流体で満たし、流体循環手段により密閉容器内を循環する流体の循環路の一部を、同様に密閉容器内に設けられた流体循環路形成手段で構成し、流体循環路の少なくとも流体循環路形成手段を経た蛍光部材及び／又は蓄光部材が、同様に密閉容器内に配設された光源からの光で励起されて発光することにより光装飾装置として優れた演出効果を発揮するものである。
【実施例１】
【００２１】
図１は、本発明の光装飾装置の実施例１に係る説明図である。以下、図１を参照して本実施例を説明する。
【００２２】
透光性を有するカバー（透光性カバー）１と支持スタンド２により密閉容器３が構成されている。透光性カバー１は外部から密閉容器３の内部が透視できるように全面が透明又は光拡散性を有する半透明、或いは透明な領域と半透明な領域の組み合わせからなり、いずれを採用するかは光の演出効果を考慮して決定される。
【００２３】
密閉容器３の内部には流体として水などの透明な液体４が満たされており、該液体４には所望の量の蛍光部材５が分散されている。蛍光部材５の形状は、例えば、図２（ａ）のような、各面を互いに内側に凹んだ湾曲面とする四面体形状、（ｂ）のような、両面を互いに外側に膨らんだ湾曲面とする盤形状、（ｃ）のような、リボンを８の字状に捩じって両端部を互いに繋いだ８字形状、（ｄ）のような、短冊状の板材の一方から切り込みを入れて互いに反対方向に折曲した略Ｔ字形状等が挙げられる。但し、蛍光部材５の形状はこれらに限定されるものではなく、その他にも種々のものが考えられる。
【００２４】
なお、蛍光部材５は形状の違いにより流体中での飛翔の仕方が異なり、例えば、図２（ａ）のような四面体形状では、流体で四方向から抵抗を受けつつ不規則な動きで循環し、（ｂ）のような膨らみのある形状では、流体の抵抗を受けやすいために速い速度で循環し、（ｃ）のような８字形状では、クルクルと回転しながら緩やかに流体中を降下し、（ｄ）のような略Ｔ字形状では、流体中を回転しながら降下するが、８字形状のように斜め方向に降下するのではなく、真下方向に降下する。
【００２５】
また、蛍光部材５は、液体４よりも比重が小さい材料により上記所望の形状に成形された基材の表面に蛍光体を塗布するか、或いは液体４よりも比重が小さい材料に蛍光体を練り込んで上記所望の形状に成形したものであり、いずれもその最外面全面に亘って防液処理を施すことにより蛍光体が直接液体４に接触しないような構成とされている。
【００２６】
蛍光体は、後述するＬＥＤ光源の発光光に励起されて、例えば夫々、赤色光、緑色光、青色光を放出する赤色蛍光体、緑色蛍光体、青色蛍光体等が用いられ、これら蛍光体のうち１種或いは２種以上が組み合わせて用いられる。なお、ＬＥＤ光源は上記蛍光体を励起するために発光光のピーク波長が約５００ｎｍ以下のものが用いられ、例えば、青色光を発光する青色ＬＥＤ或いは紫外光を発光する紫外ＬＥＤが挙げられる。
【００２７】
このうち、ＬＥＤ光源に青色ＬＥＤを使用する場合は、蛍光体は緑色蛍光体及び青色蛍光体のうちから選択され、紫外ＬＥＤを使用する場合は、蛍光体は赤色蛍光体、緑色蛍光体及び青色蛍光体のうちから選択される。
【００２８】
図１に戻って、液体４が満たされた密閉容器３内には、その中央部に流体循環路形成手段となる、両端を開口とする筒状の循環ガイド用筒６が配置されると共に、該循環ガイド用筒６の下側の開口６ｂの下方に流体循環手段となる循環用ファンユニット７が配置され、循環用ファンユニット７から立ち上がって所望の長さだけ上方に延びた複数の支持部材８によって循環ガイド用筒６が支持・固定されている。循環用ファンユニット７は支持スタンド２に直接取り付けられている。
【００２９】
循環用ファンユニット７のファン部７ａの少なくとも密閉容器３側には、蛍光部材５がファン部７ａの駆動部に巻き込まれないように網状のネット９が配設されている。
【００３０】
循環ガイド用筒６は不透明な材料で形成されて内部が見えないようになっていると共に、上側の開口端部１０近傍には複数のＬＥＤ光源１１が、その出射光が上方向、斜上方向、横方向及び斜下方向等を照射するように配置されている。
【００３１】
各ＬＥＤ光源１１は上述したように、青色ＬＥＤ又は紫外ＬＥＤが使用され、いずれの場合も少なくとも液体４に直接接触する部分には防液処理が施されている。
【００３２】
上記、蛍光部材５、循環ガイド用筒６、循環用ファンユニット７、支持部材８、ネット９及びＬＥＤ光源１１はいずれも密閉容器３内の液体４中に浸漬されているが、ＬＥＤ光源１１の駆動制御及び循環用ファンユニット７のファンモータの駆動制御を掌る制御コントローラ１２は電源スイッチ、ボリューム、電子部品等の回路部品で構成されるため、液体４に触れると不具合の発生要因となる。そのため、密閉容器３外の適当な場所に配置されるものであるが、本実施例においては支持スタンド２内に配置されている。
【００３３】
図３は手動操作を行う制御コントローラ１２のブロック図である。
【００３４】
制御コントローラ１２は、ファンモータ１３の駆動開始、駆動停止及び回転速度の制御と、ＬＥＤ光源１１の点灯、消灯及び明るさの制御を行うものである。
【００３５】
図３より、スイッチ及びボリュームで構成されるファンモータ操作部２０と、同様にスイッチ及びボリュームで構成されるＬＥＤ光源操作部２１が夫々制御回路部２２に接続され、制御回路部２２の出力端子はファンモータ系とＬＥＤ光源系の２回路に分かれて駆動回路部２３のファンモータ駆動回路２３ａとＬＥＤ光源駆動回路２３ｂの入力端子に接続され、夫々の出力端子がファンモータ系とＬＥＤ光源系の２回路に分かれて夫々ファンモータ１３及びＬＥＤ光源１１に接続されている。
【００３６】
なお、遠隔操作を行う場合は、ファンモータ操作部２０及びＬＥＤ光源操作部２１に替えてリモコン入力装置を備え、リモコン入力装置からの信号を受信して制御信号に変換する通信回路部を制御回路部２２との間に設ける。
【００３７】
次に、本実施例の動作について説明する。この場合、制御コントローラは図３で示す直接操作方式を採用する。
【００３８】
まず、制御コントローラ１２のファンモータ操作部２０のスイッチをＯＮにし、ボリュームのツマミを所望の位置まで回動する。すると、制御回路部２２ではボリュームの抵抗値に基づいて該抵抗値に対応する電圧が出力され、駆動回路部２３のファンモータ駆動回路２３ａに送られる。ファンモータ駆動回路２３ａでは制御回路部２２からの電圧値に基づいて該電圧値に対応する電圧をファンモータ１３に印加し、ファンモータ１３を回転させる。それによって循環用ファンユニット７のファンが所望の回転数で回転する。
【００３９】
同様に、制御コントローラ１２のＬＥＤ光源操作部２１のスイッチをＯＮにし、ボリュームのツマミを所望の位置まで回動する。すると、制御回路部２２ではボリュームの抵抗値に基づいて該抵抗値に対応する電圧が出力され、駆動回路部２３のＬＥＤ光源駆動回路２３ｂに送られる。ＬＥＤ光源駆動回路２３ｂでは制御回路部２２からの電圧値に基づいて該電圧値に対応する電圧をＬＥＤ光源１１に印加し、ＬＥＤ光源１１に電流が通電される。それによってＬＥＤ光源１１が所望の明るさで発光する。
【００４０】
ファンモータ操作部２０のスイッチとＬＥＤ光源操作部２１のスイッチは上述のように個別に設けてもよいし、連動するようにしてもよい。また１つのスイッチを供用することも可能である。
【００４１】
そこで、循環用ファンユニット７のファンが回転すると、図１のように、ファン部７ａの近傍に位置する液体４がファン部７ａのファンの回転によって上方に押し上げられ、循環ガイド用筒６の下側開口（吸入口）６ｂから循環ガイド用筒６内を導通して上側開口（噴出口）６ａに至り、噴出口６ａから循環ガイド用筒６外に噴出されて放散され、透光性カバー１に沿って降下して底面側の循環用ファンユニット７のファン部７ａの近傍に集まる。
【００４２】
このように、ファンの回転によって密閉容器３内に循環ガイド用筒６を循環路とする液体４の連続する流れが形成される。それと同時に、液体４中には蛍光部材５が分散されており、液体４の循環と共に蛍光部材５も循環ガイド用筒６を循環路とする流れを形成する。
【００４３】
そこで、液体４の循環がスムーズに行われるように、透光性カバー１の形状を略卵形として、気密容器３内を降下する液体４がファン部７ａ近傍に集まり易くしている。
【００４４】
また、不透明な材料からなる循環ガイド用筒６の上側の開口端部１０近傍には複数のＬＥＤ光源１１が、その出射光が上方向、斜上方向、横方向及び斜下方向等を照射するように配置されており、循環ガイド用筒６外に位置する蛍光部材５がＬＥＤ光源１１の照射光で励起されて夫々の蛍光体特有の色調の光を放出する。
【００４５】
このような動作の光装飾装置を透光性カバー１を透して外部から見ると、循環ガイド用筒６の噴出口６ａから噴水のように放散された蛍光部材５がＬＥＤ光源１１の照射光を受けて発光しながら下方に流れ落ちていくといった、あたかも光の滝或いは仕掛け花火のような雰囲気を醸し出すものである。
【００４６】
特に、ＬＥＤ光源１１が青色ＬＥＤの場合、ＬＥＤ光源１１による青色光と、蛍光部材５による、青色光とは異なる色調の光による共演効果が発揮され、ＬＥＤ光源１１の青色光による落ち着いた雰囲気の中で蛍光部材５の鮮やかな光が舞い降りるといった、幻想的な演出効果を得ることができる。
【００４７】
以上は、本発明の実施例１に係る説明であるが、以下に、上記実施例１に基づく応用例を示す。
【００４８】
応用例の一つは、図１の構成において、循環ガイド用筒６を透明材料で形成すると共に、複数のＬＥＤ光源１１を循環ガイド用筒６の外面、内面及び上側開口端面のうち適宜な場所に配置して該ＬＥＤ光源１１で密閉容器３内の、循環ガイド用筒６内を含めた液体４全体を照射するものである。
【００４９】
これにより、密閉容器３内における蛍光部材５全体がＬＥＤ光源１１の照射光を受けることになり、密閉容器３内を循環する蛍光部材５の発光光が連続する流れとして表現される。
【００５０】
他の応用例としては、同様に図１の構成において、蛍光部材５を他の機能を有する部材に替え、且つＬＥＤ光源による照射領域を替えたものである。具体的には、図４に示すように、蛍光部材の替わりに蓄光体が塗布されたか、あるいは蓄光体を練り込んだ蓄光部材２４を液体４に分散する。それと共に、不透明な材料で形成された循環ガイド用筒６の内側に複数のＬＥＤ光源１１を、その出射光が循環ガイド用筒６の内部を照射するように配置するものである。
【００５１】
これにより、循環ガイド用筒６の下側開口（吸入口）６ｂから循環ガイド用筒６内に送られた蓄光部材２４は循環ガイド用筒６内を導通している間にＬＥＤ光源１１からの照射光で励起されて発光する。但し、循環ガイド用筒６内でのこのような光学的な挙動は循環ガイド用筒６に遮光されて外側からは見えず、ＬＥＤ光源１１の照射光を受けた蓄光部材２４は循環ガイド用筒６の噴出口６ａから噴水のように放散されてその明るさを徐々に減じながら下方に流れ落ちていくといった、繰り返される光の流れと明るさのグラデーションによる、あたかも連続する打ち上げ花火のような演出を可能にするものである。
【００５２】
図５は、蓄光体の蓄光特性をグラフに表したものである。蓄光体には種々の蓄光特性を有するものがあり、例えば、（ｓ）のように初期光度１６ｍｃｄで発光したものが徐々に減衰して１２秒後には発光しなくなるもの、（ｌ）のように初期光度が１２ｍｃｄであっても２０秒間発光を持続するものなどである。
【００５３】
そこで、密閉容器の底面から循環ガイド用筒の上側開口（噴出口）までの距離を考慮して、循環ガイド用筒の上側開口（噴出口）から放散された蓄光部材が密閉容器の底面に到達するまでの時間を、図６のように循環速度を調整することによって２０秒と設定し、図６の（ｌ）の蓄光特性を有する蓄光部材を使用することにより、循環ガイド用筒の上側開口（噴出口）から放散された蓄光部材が降下しながら徐々に暗くなり密閉容器の底面に到達したときに丁度発光を終えるといった、繰り返される光の流れと明るさのグラデーションによる優れた演出効果を発揮することができる。
【００５４】
この場合、蓄光時間の短い（ｓ）の蓄光特性を有する蓄光部材であっても使用は可能であり、この蓄光部材は循環ガイド用筒の上側開口（噴出口）から放散されて密閉容器の底面に到達する前に光が消滅することになるが、これにより異なる演出効果を得ることもできる。
【００５５】
なお、循環ガイド用筒６の形状は、円錐台形、逆円錐台形等、様々な形状が考えられる。
【実施例２】
【００５６】
本実施例は、上述の実施例１に対して、循環ガイド用筒６が回転すること、及び回転効果を高めるために循環ガイド用筒６の形状を変えたことが異なる。
【００５７】
図７は、本発明の光装飾装置の実施例２に係る説明図である。
【００５８】
循環ガイド用筒６は下側に１つの開口６ｂを設け、上側を三叉に分岐してそれぞれに開口６ａを設けている。そして、モータ（図示せず）によって循環ガイド用筒６を回転させ、回転する３つの上側開口（噴出口）６ａの夫々から蛍光部材５及び／又は蓄光部材２４を放散するような構成となっている。
【００５９】
なお、循環ガイド用筒６の形状は、折曲した筒状、主筒部と該主筒部から分岐する枝筒部を有する形状で上側に複数の開口を有するもの等、様々な形状が考えられる。
【００６０】
これに伴い、制御コントローラ１２も図８（手動操作）に示すように、ファンモータ系及びＬＥＤ光源系に加えて循環ガイド用筒の回転を司る筒回転モータ系が設けられ、スイッチ及びボリュームで構成される筒回転モータ操作部２５が制御回路部２２に接続され、制御回路部２２の出力端子が駆動回路部２３の筒回転モータ駆動回路２３ｃ入力端子に接続され、出力端子が筒回転モータ２６に接続されている。
【００６１】
なお、遠隔操作を行う場合は、ファンモータ操作部２０、ＬＥＤ光源操作部２１及び筒回転モータ操作部２５に替えてリモコン入力装置を備え、リモコン入力装置からの信号を受信して制御信号に変換する通信回路部を制御回路部２２との間に設ける。
【００６２】
そして、制御コントローラ１２の筒回転操作部２５のスイッチをＯＮにし、ボリュームのツマミを所望の位置まで回動する。すると、制御回路部２２ではボリュームの抵抗値に基づいて該抵抗値に対応する電圧が出力され、駆動回路部２３の筒回転モータ駆動回路２３ｃに送られる。筒回転モータ駆動回路２３ｃでは制御回路部２２からの電圧値に基づいて該電圧値に対応する電圧を筒回転モータ２６に印加し、筒回転モータ２６を回転させる。それによって循環ガイド用筒６が所望の回転数で回転する。
【００６３】
これにより、実施例１のような蛍光部材又は蓄光部材の縦方向の流れと共に横方向の流れが加わり、より装飾効果の高い光装飾装置を実現することができる。
【００６４】
上述の実施例１、実施例１を応用したもの、及び実施例２においては、液体には蛍光部材又は蓄光部材のいずれか一方の部材が分散されているが、両部材（蛍光部材及び蓄光部材）を同時に混在させることもできる。その場合、循環ガイド用筒６は透明部材で形成し、複数のＬＥＤ光源１１を循環ガイド用筒６の外面、内面及び上側開口端面のうち適宜な場所に配置して該ＬＥＤ光源１１で密閉容器３内の、循環ガイド用筒６内を含めた液体４全体を照射するように。
【００６５】
同様に、実施例１、実施例１を応用したもの、及び実施例２においては、ＬＥＤ光源１１を循環ガイド用筒６に配置したが、密閉容器３の底部又は透光性カバー１の上部内面に配置して、密閉容器３の下方又は上方から密閉容器３全体を照射することも可能である。この場合は、蓄光部材よりも蛍光部材を使用することでより装飾性が高められる。
【００６６】
また、これまでは流体として水等の液体の使用について説明してきたが、空気等の気体を使用することも可能である。更に、流体として液体又は気体のいずれを使用する場合においても、流体循環手段にファンユニットを使用する替わりにヒータを使用し、熱による対流によって流体を循環させることも可能である。
【００６７】
流体が液体であっても気体であっても、流体に分散された蛍光部材及び蓄光部材は密閉容器内を不規則な運動を繰り返しながら循環する。そのため、蛍光部材及び蓄光部材の見え方が刻々と変わり、ミラーボールのようなきらめきのある照明装置を演出することができる。
【００６８】
なお、ファンモータ及び筒回転モータは、アナログ信号で制御されるサーボモータまたはデジタル信号で制御されるステッピングモータのどちらでもよい。またＬＥＤ光源は、アナログ信号制御による直流点灯、デジタル信号制御によるパルス点灯のどちらでもよい。
【００６９】
以上説明したように、本発明の光装飾装置は、蛍光部材及び／又は蓄光部材が分散された流体を密閉容器内で循環させ、それに伴って循環する蛍光部材及び／又は蓄光部材に光を照射して光の流れを演出した。それと同時に、蛍光部材及び／又は蓄光部材の循環方向、循環速度、照射光の明るさ・点滅のタイミング等を制御するようにした。その結果、従来にない優れた光装飾効果を奏するものとなった。
【図面の簡単な説明】
【００７０】
【図１】本発明の実施例１に係る説明図である。
【図２】蛍光部材及び蓄光部材の形状を示す説明図である。
【図３】実施例１に係る制御コントローラのブロック図である。
【図４】実施例１の応用例を示す説明図である。
【図５】蓄光体の蓄光特性を示すグラフである。
【図６】蓄光部材の降下速度を示すグラフである。
【図７】本発明の実施例２に係る説明図である。
【図８】実施例２に係る制御コントローラのブロック図である。
【符号の説明】
【００７１】
１  透光性カバー
２  支持スタンド
３  密閉容器
４  液体
５  蛍光部材
６  循環ガイド用筒
７  循環用ファンユニット
８  支持部材
９  ネット
１０  開口端部
１１  ＬＥＤ光源
１２  制御コントローラ
１３  ファンモータ
２０  ファンモータ操作部
２１  ＬＥＤ光源操作部
２２  制御回路部
２３  駆動回路部
２４  蓄光部材
２５  筒回転モータ操作部
２６  筒回転モータ
【図１】
2010058332.tif 000003
【図２】
2010058332.tif 000004
【図３】
2010058332.tif 000005
【図４】
2010058332.tif 000006
【図５】
2010058332.tif 000007
【図６】
2010058332.tif 000008
【図７】
2010058332.tif 000009
【図８】
2010058332.tif 000010